(57)【要約】【課題】原稿面が平坦でなくても適正な画像読み取りをできなくする影が生じにくく、かつ、モノクロ画像読取時における電力消費を抑制する。【解決手段】原稿ＭＳからの反射光のうちＣＣＤに案内される読取光の光路を挟んで対向する各側から原稿の被照明領域Ｂに向けて光をそれぞれ照射する第１ＬＥＤアレイ１００Ａ及び第２ＬＥＤアレイ１００Ｂを備えており、これらのＬＥＤアレイはいずれも白色光と単色光とを選択的に照射するものであるため、カラー画像読取時には両側から白色光を照射でき、モノクロ画像読取時には両側から単色光を照射できる。【選択図】図７
2008312175.tif 000002
【特許請求の範囲】
【請求項１】
画像読取対象物に光を照射する画像照明装置において、
画像読取対象物からの反射光のうち画像読取手段に案内される読取光の光路を挟んで対向する各側から画像読取対象物の被照明領域に向けて光をそれぞれ照射する第１光照射体及び第２光照射体を備えており、
該第１光照射体は、白色光と単色光とを選択的に照射するものであり、
該第２光照射体は、白色光を照射するものであることを特徴とする画像照明装置。
【請求項２】
画像読取対象物に光を照射する画像照明装置において、
画像読取対象物からの反射光のうち画像読取手段に案内される読取光の光路を挟んで対向する各側から画像読取対象物の被照明領域に向けて光をそれぞれ照射する第１光照射体及び第２光照射体とを備え、
該第１光照射体及び該第２光照射体は、いずれも白色光と単色光とを選択的に照射するものであり、
該第１光照射体及び該第２光照射体が照射する単色光は、互いに同一色のものであることを特徴とする画像照明装置。
【請求項３】
請求項１又は２の画像照明装置において、
上記第１光照射体及び上記第２光照射体の少なくとも一方は、互いに異なる３色以上の光をそれぞれ発光する複数の発光素子を備え、上記白色光を照射する際には該複数の発光素子すべてを発光させるものであることを特徴とする画像照明装置。
【請求項４】
請求項１、２又は３の画像照明装置において、
上記単色光の波長ピークは、５００［ｎｍ］以上６００［ｎｍ］以下であることを特徴とする画像照明装置。
【請求項５】
画像読取対象物に光を照射する画像照明装置と、該画像読取対象物で反射した反射光を光電変換素子で受光して該反射光に含まれる所定の色成分ごとの受光量に応じた各色成分ごとの画像信号を生成する画像信号生成手段とを備えた画像読取装置において、
上記画像照明装置として、請求項１乃至４のいずれか１項に記載の画像照明装置を用いたことを特徴とする画像読取装置。
【請求項６】
請求項５の画像読取装置において、
上記画像信号生成手段は、カラー画像読取動作時に使用される赤成分、緑成分及び青成分を個別に受光するカラー用光電変換素子と、モノクロ画像読取動作時に使用されるモノクロ用光電変換素子とを個別に備えていることを特徴とする画像読取装置。
【請求項７】
請求項６の画像読取装置において、
上記モノクロ用光電変換素子の光電変換に要する時間が、上記カラー用光電変換素子の光電変換に要する時間よりも短くなるように構成したことを特徴とする画像読取装置。
【請求項８】
画像読取対象物から画像に関する情報を読み取る画像読取手段と、
該画像読取手段が読み取った該情報に基づいて画像を形成する画像形成手段とを備えた画像形成装置において、
上記画像読取手段として、請求項５乃至７のいずれか１項に記載の画像読取装置を用いることを特徴とする画像形成装置。
【発明の詳細な説明】
【技術分野】
【０００１】
本発明は、画像が記録された画像読取対象物（原稿）を照明する画像照明装置、画像読取対象物からの反射光を受光することで画像に関する情報を読み取る画像読取装置、及び、その画像読取装置を備えた複写機やファクシミリ等の画像形成装置に関するものである。
【背景技術】
【０００２】
一般に、画像読取装置は、画像照明装置により原稿に光を照射し、その反射光をＣＣＤやＣＭＯＳ等で構成される光電変換素子によって受光することで、その原稿の画像に関する情報を読み取る。従来の画像照明装置では、その光源として円筒状のキセノンランプが利用されていたが、キセノンランプは消費電力が大きく発熱量も多いため、近年の省エネルギー化や画像読取装置の長寿命化等の要求に十分に応えることができない。そのため、キセノンランプよりも、消費電力が小さく発熱量が小さいＬＥＤ（Ｌｉｇｈｔ  Ｅｍｉｔｔｉｎｇ  Ｄｉｏｄｅ）を光源として用いた画像照明装置が実用化されてきている。
【０００３】
特許文献１には、原稿の被照明領域に対して斜め方向（被照明領域の法線方向に対して傾斜した方向）から光を照射する画像読取装置が記載されている。この画像読取装置は、白色光を照射する第１の光照射体（白色光源）と、赤、緑、青のいずれかの単色光を照射する第２の光照射体（単色光源）を備えている。これらの光源は、いずれも略同一方向から原稿の被照明領域へ光を照射する。この画像読取装置において、カラー画像読取時には白色光源のみを用い、赤色成分用のＣＣＤ、緑色成分用のＣＣＤ、青色成分用のＣＣＤにより各色成分の反射光を受光してカラー画像を読み取る。一方、モノクロ画像読取時には、白色光源と単色光源の両方を用い、カラー画像読取時に使用されるＣＣＤのうち上記単色光と同色の色成分用のＣＣＤを用いて画像読取動作を行う。このように、モノクロ画像読取時に白色光と単色光の両方を用いるため、当該ＣＣＤに受光される光量はカラー画像読取時よりも単色光分だけ多くなる。そして、ＣＣＤに受光される光量が多くなるほどＣＣＤの駆動を高速化することが可能となるので、モノクロ画像読取時にはカラー画像読取時よりも高速な画像読取動作が可能となる。なお、モノクロ画像読取時に白色光源の照度を上昇させることができれば、白色光源とは別に単色光源を設けなくても、モノクロ画像読取時にカラー画像読取時よりも高速な画像読取動作が可能となる。しかし、一般に、光源の照度を変更することは、照度の安定化が困難となる上、そもそも光源の構成上そのような変更ができないものもある。よって、上記特許文献１に記載の画像読取装置では、白色光源とは別に単色光源を追加する構成を採用しているものと思われる。
【０００４】
【特許文献１】特開２００３−６０８４７号公報
【発明の開示】
【発明が解決しようとする課題】
【０００５】
ところが、上記特許文献１に記載の画像読取装置では、原稿に対して一方向から光を照射する構成となっているため、原稿の画像面が平坦でない場合には影が生じ、適正な画像読み取りができないという問題がある。
【０００６】
一方で、原稿に対して複数方向から光を照射することで原稿の画像面が平坦でない場合でも影が生じにくいようにした画像読取装置も知られている。しかし、この画像読取装置では、モノクロ画像読取時に使用する複数方向からの照明光として、カラー画像読取時に使用する複数方向からの白色光をそのまま使用している。そのため、以下に述べるように電力消費を抑制する上で不利であるという問題があった。すなわち、カラー画像読取時は、その照明光として可視光領域全域の波長を持つ白色光を用いる必要があるが、モノクロ画像読取時の照明光としては任意の波長をもつ光であればよい。したがって、モノクロ画像読取時の照明光を照射する光源としては、消費電力の面で最も有利な波長の光を照射する光源を選択することができる。しかし、モノクロ画像読取時に使用する複数方向からの照明光として、カラー画像読取時に使用する複数方向からの照明光（白色光）をそのまま利用する場合には、モノクロ画像読取用として消費電力の少ない光源を選択するというようなことができない。したがって、消費電力の面で最も有利な波長の光を照射する光源をモノクロ画像読取時に使用する場合に比べて、モノクロ画像読取時に消費する電力を抑制する上では不利となる。
【０００７】
本発明は、以上の背景に鑑みなされたものであり、その目的とするところは、画像読取対象物の画像面が平坦でなくても適正な画像読み取りをできなくする影が生じにくく、かつ、モノクロ画像読取時における電力消費を抑制できる画像照明装置、画像読取装置及び画像形成装置を提供することである。
【課題を解決するための手段】
【０００８】
上記目的を達成するために、請求項１の発明は、画像読取対象物に光を照射する画像照明装置において、画像読取対象物からの反射光のうち画像読取手段に案内される読取光の光路を挟んで対向する各側から画像読取対象物の被照明領域に向けて光をそれぞれ照射する第１光照射体及び第２光照射体を備えており、該第１光照射体は、白色光と単色光とを選択的に照射するものであり、該第２光照射体は、白色光を照射するものであることを特徴とするものである。
また、請求項２の発明は、画像読取対象物に光を照射する画像照明装置において、画像読取対象物からの反射光のうち画像読取手段に案内される読取光の光路を挟んで対向する各側から画像読取対象物の被照明領域に向けて光をそれぞれ照射する第１光照射体及び第２光照射体とを備え、該第１光照射体及び該第２光照射体は、いずれも白色光と単色光とを選択的に照射するものであり、該第１光照射体及び該第２光照射体が照射する単色光は、互いに同一色のものであることを特徴とするものである。
また、請求項３の発明は、請求項１又は２の画像照明装置において、上記第１光照射体及び上記第２光照射体の少なくとも一方は、互いに異なる３色以上の光をそれぞれ発光する複数の発光素子を備え、上記白色光を照射する際には該複数の発光素子すべてを発光させるものであることを特徴とするものである。
また、請求項４の発明は、請求項１、２又は３の画像照明装置において、上記単色光の波長ピークは、５００［ｎｍ］以上６００［ｎｍ］以下であることを特徴とするものである。
また、請求項５の発明は、画像読取対象物に光を照射する画像照明装置と、該画像読取対象物で反射した反射光を光電変換素子で受光して該反射光に含まれる所定の色成分ごとの受光量に応じた各色成分ごとの画像信号を生成する画像信号生成手段とを備えた画像読取装置において、上記画像照明装置として、請求項１乃至４のいずれか１項に記載の画像照明装置を用いたことを特徴とするものである。
また、請求項６の発明は、請求項５の画像読取装置において、上記画像信号生成手段は、カラー画像読取動作時に使用される赤成分、緑成分及び青成分を個別に受光するカラー用光電変換素子と、モノクロ画像読取動作時に使用されるモノクロ用光電変換素子とを個別に備えていることを特徴とするものである。
また、請求項７の発明は、請求項６の画像読取装置において、上記モノクロ用光電変換素子の光電変換に要する時間が、上記カラー用光電変換素子の光電変換に要する時間よりも短くなるように構成したことを特徴とするものである。
また、請求項８の発明は、画像読取対象物から画像に関する情報を読み取る画像読取手段と、該画像読取手段が読み取った該情報に基づいて画像を形成する画像形成手段とを備えた画像形成装置において、上記画像読取手段として、請求項５乃至７のいずれか１項に記載の画像読取装置を用いることを特徴とするものである。
【０００９】
本発明においては、カラー画像読取時においては、画像読取対象物からの反射光のうち画像読取手段に案内される読取光の光路を挟んで対向する各側すなわち複数方向から、画像読取対象物の被照明領域に向けて、白色光を照射することができる。一方、モノクロ画像読取時においては、画像読取対象物からの反射光の光路を挟んで一方の側から単色光を照射し、他方の側からは、請求項１に係る発明では白色光（その単色光と同じ色を含んでいる。）を照射し、請求項２に係る発明ではその単色光と同じ色の単色光を照射することができる。このように、本発明によれば、画像読取対象物からの反射光の光路を挟んで両側から光を照射するので、画像読取対象物の画像面が平坦でなくても影が生じにくくなる。
また、本発明においては、第１光照射体及び第２照射体の少なくとも一方は、モノクロ画像読取時に使用される照明光として、カラー画像読取時に使用される照明光（白色光）とは異なる単色光を用いる。この単色光の色はその選択の自由度が非常に大きいので、その単色光を照射する光源として、カラー画像読取時に使用される白色光の光源に比べて消費電力の少ないものを選択することができる。したがって、本発明によれば、モノクロ画像読取時に使用する複数方向からの照明光としてカラー画像読取時に使用する複数方向からの照明光をそのまま使用する従来の構成に比べて、モノクロ画像読取時における消費電力を抑制することができる。
【発明の効果】
【００１０】
以上、本発明によれば、画像読取対象物の画像面が平坦でなくても適正な画像読み取りをできなくする影が生じにくく、かつ、モノクロ画像読取時における電力消費が抑制されるという優れた効果がある。
【発明を実施するための最良の形態】
【００１１】
以下、本発明を、電子写真方式の画像形成装置である複写機に適用した一実施形態について説明する。
まず、本実施形態に係る複写機の基本的な構成について説明する。
図１は、本複写機を示す概略構成図である。
この複写機は、画像形成部１と、白紙供給装置４０と、原稿搬送読取ユニット５０とを備えている。原稿搬送読取ユニット５０は、画像形成部１の上に固定された画像読取装置としてのスキャナ部１５０と、これに支持される原稿搬送装置としてのＡＤＦ５１とから構成される。
【００１２】
白紙供給装置４０は、ペーパーバンク４１内に多段に配設された２つの給紙カセット４２、給紙カセット４２から記録材としての記録紙を送り出す送出ローラ４３、送り出された記録紙を分離して給紙路４４に供給する分離ローラ４５等を有している。また、複写機の給紙路３７に記録紙を搬送する複数の搬送ローラ４６等も有している。そして、給紙カセット４２内の記録紙を複写機内の給紙路３７内に給紙する。
【００１３】
複写機は、光書込装置２や、Ｋ（黒）色、Ｙ（イエロー）色、Ｍ（マゼンタ）色、Ｃ（シアン）色のトナー像を形成する４つのプロセスユニット３Ｋ，３Ｙ，３Ｍ，３Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、プロセスユニット３Ｋ，３Ｙ，３Ｍ，３Ｃの感光体４Ｋ，４Ｙ，４Ｍ，４Ｃに向けてレーザー光Ｌを照射する。この照射により、ドラム状の感光体４Ｋ，４Ｙ，４Ｍ，４Ｃの表面には静電潜像が形成され、この潜像は所定の現像プロセスを経由してトナー像に現像される。なお、符号の後に付されたＫ、Ｙ、Ｍ、Ｃという添字は、黒、イエロー、マゼンタ、シアン用のものであることを示している。
【００１４】
図２は、複写機の内部構成の一部を拡大して示す部分拡大構成図である。
同図において、プロセスユニット３Ｋ，３Ｙ，３Ｍ，３Ｃは、それぞれ、感光体とその周囲に配設される各種装置とを１つのユニットとして共通の支持体に支持するものであり、複写機本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５Ｋなども有している。本複写機では、４つのプロセスユニット３Ｋ，３Ｙ，３Ｍ，３Ｃを、後述する中間転写ベルト２５に対してその無端移動方向に沿って並べるように対向配設したいわゆるタンデム型の構成になっている。
【００１５】
図３は、４つのプロセスユニット３Ｋ，３Ｙ，３Ｍ，３Ｃからなるタンデム部の一部を示す部分拡大図である。
４つのプロセスユニット３Ｋ，３Ｙ，３Ｍ，３Ｃは、それぞれ使用するトナーの色が異なる他は同様の構成になっているので、同図においては各符号に付すＫ、Ｙ、Ｍ、Ｃという添字を省略している。同図に示すように、プロセスユニット３は、感光体４の周りに、帯電装置２３、現像装置６、ドラムクリーニング装置１５、除電ランプ２１等を有している。
【００１６】
感光体４としては、アルミニウム等の素管に、感光性を有する有機感光材の塗布による感光層を形成したドラム状のものを用いている。但し、無端ベルト状のものを用いても良い。
【００１７】
現像装置６は、図示しない磁性キャリアと非磁性トナーとを含有する二成分現像剤を用いて潜像を現像するようになっている。そして、内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、スリーブの回転方向に沿って並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００１８】
この磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００１９】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置に受け渡す。リサイクル搬送装置は、受け渡されたトナーを現像装置６に送ってリサイクルする。
【００２０】
除電ランプ２１は、光照射によって感光体４を除電する。除電された感光体４の表面は、帯電装置５によって一様に帯電せしめられた後、光書込装置２による光書込処理がなされる。なお、帯電装置５としては、帯電バイアスが印加される帯電ローラを感光体４に当接させながら回転させるものを用いている。感光体４に対して非接触で帯電処理を行うスコロトロンチャージャ等を用いてもよい。
【００２１】
先に示した図２において、４つのプロセスユニット３Ｋ，３Ｙ，３Ｍ，３Ｃの感光体４Ｋ，４Ｙ，４Ｍ，４Ｃには、これまで説明してきたプロセスによってＫ色、Ｙ色、Ｍ色、Ｃ色のトナー像が形成される。
【００２２】
４つのプロセスユニット３Ｋ，３Ｙ，３Ｍ，３Ｃの下方には、転写ユニット２４が配設されている。この転写ユニット２４は、複数のローラによって張架した中間転写ベルト２５を、感光体４Ｋ，４Ｙ，４Ｍ，４Ｃに当接させながら図中時計回り方向に無端移動させる。これにより、感光体４Ｋ，４Ｙ，４Ｍ，４Ｃと中間転写ベルト２５とが当接するＫ、Ｙ、Ｍ、Ｃ用の１次転写ニップが形成されている。Ｋ、Ｙ、Ｍ、Ｃ用の１次転写ニップの近傍では、ベルトループ内側に配設された１次転写ローラ２６Ｋ，２６Ｙ，２６Ｍ，２６Ｃによって中間転写ベルト２５を感光体４Ｋ，４Ｙ，４Ｍ，４Ｃに向けて押圧している。これら１次転写ローラ２６Ｋ，２６Ｙ，２６Ｍ，２６Ｃには、それぞれ図示しない電源によって１次転写バイアスが印加されている。これにより、Ｋ、Ｙ、Ｍ、Ｃ用の１次転写ニップには、感光体４Ｋ，４Ｙ，４Ｍ，４Ｃ上のトナー像を中間転写ベルト２５に向けて静電移動させる１次転写電界が形成されている。図中時計回り方向の無端移動に伴ってＫ、Ｙ、Ｍ、Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下「４色トナー像」という。）が形成される。
【００２３】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２４】
この２次転写ニップの図中右側方には、レジストローラ対３３が配設されており、ローラ間に挟み込んだ記録紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって記録紙に一括２次転写され、記録紙の白色と相まってフルカラー画像となる。２次転写ニップを通過した記録紙は、中間転写ベルト２５から離間して、紙搬送ベルト２９のおもて面に保持されながら、その無端移動に伴って定着装置３４へと搬送される。
【００２５】
２次転写ニップを通過した中間転写ベルト２５の表面には、２次転写ニップで記録紙に転写されなかった転写残トナーが付着している。この転写残トナーは、中間転写ベルト２５に当接するベルトクリーニング装置によって掻き取り除去される。
【００２６】
定着装置３４に搬送された記録紙は、定着装置３４内における加圧や加熱によってフルカラー画像が定着させしめられた後、定着装置３４から排紙ローラ対３５に送られた後、機外へと排出される。
【００２７】
先に示した図１において、紙搬送ユニット２２および定着装置３４の下には、スイッチバック装置３６が配設されている。これにより、片面に対する画像定着処理を終えた記録紙が、切換爪で記録紙の進路を記録紙反転装置側に切り換えられ、そこで反転されて再び２次転写転写ニップに進入する。そして、もう片面にも画像の２次転写処理と定着処理とが施された後、排紙トレイ上に排紙される。
【００２８】
複写機の上に固定されたスキャナ部１５０は、図１に示すように、固定読取部１５１と、移動読取部１５２とを有している。光源、反射ミラー、光電変換素子であるＣＣＤなどを有する固定読取部１５１は、画像読取対象物である原稿ＭＳに接触するようにスキャナ部１５０のケーシング上壁に固定された図示しない第１コンタクトガラスの直下に配設されている。そして、ＡＤＦ５１によって搬送される原稿ＭＳが第１コンタクトガラス上を通過する際に、光源から発した光を原稿面で順次反射させながら、複数の反射ミラーを経由させて光電変換素子であるＣＣＤ２２１で受光する。これにより、光源や反射ミラー等からなる光学系を移動させることなく、原稿ＭＳを読み取る。なお、以下、ＡＤＦ５１による原稿搬送を行いながら固定読取部１５１によって原稿ＭＳの画像を読み取る制御を、スルー読取制御という。
【００２９】
一方、移動読取部１５２は、原稿ＭＳに接触するようにスキャナ部１５０のケーシング上壁に固定された図示しない第２コンタクトガラスの直下であって、固定読取部１５１の図中右側方に配設されており、光源や、反射ミラーなどからなる移動光学系を図中左右方向に移動させることができる。そして、移動光学系を図中左側から右側に移動させていく過程で、光源から発した光を第２コンタクトガラス上に載置された図示しない原稿ＭＳで反射させる。この反射によって得られた光学像は、複数の反射ミラーと、スキャナ部本体に固定された結像レンズとを経由した後、光電変換素子としてのＣＣＤ２２１によって読み取られる。このように、移動読取部１５２は、移動光学系を移動させながら、第２コンタクトガラス上で静止している原稿ＭＳの画像を読み取る。
【００３０】
スキャナ部１５０の上に配設されたＡＤＦ５１は、本体カバー５２に、読取前の原稿ＭＳを載置するための原稿載置台５３、原稿ＭＳを搬送するための搬送ユニット５４、読取後の原稿ＭＳをスタックするための原稿スタック台５５などを保持している。図４に示すように、スキャナ部１５０に固定された蝶番１５９によって上下方向に揺動可能に支持されている。そして、その揺動によって開閉扉のような動きをとり、開かれた状態でスキャナ部１５０の上面の第１コンタクトガラス１５４や第２コンタクトガラス１５５を露出させる。原稿束の片隅を綴じた本などの片綴じ原稿の場合には、原稿ＭＳを１枚ずつ分離することができないため、ＡＤＦ５１による搬送を行うことができない。そこで、片綴じ原稿の場合には、ＡＤＦ５１を図４に示すように開いた後、読み取らせたいページが見開かれた片綴じ原稿を下向きにして第２コンタクトガラス１５５上に載せた後、ＡＤＦ５１を閉じる。そして、図１に示したスキャナ部１５０の移動読取部１５２によってそのページの画像を読み取らせる。
【００３１】
一方、互いに独立した複数の原稿ＭＳを単に積み重ねた原稿束の場合には、その原稿ＭＳをＡＤＦ５１によって１枚ずつ自動搬送しながら、スキャナ部１５０の固定読取部１５１に順次読み取らせていくことができる。この場合、原稿束を原稿載置台５３上にセットした後、操作部１４０のコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させた直後にスキャナ部１５０の固定読取部１５１の真上に通す。このとき、原稿ＭＳの画像がスキャナ部１５０の固定読取部１５１によって読み取られる。
【００３２】
次に、スキャナ部１５０のうち、移動読取部について、図５、図６を用いて説明する。
図５は、スキャナ部１５０の移動読取部（図１の符号１５２）を斜め上方から示した斜視図である。なお、便宜上、上述の第２コンタクトガラス１５５の図示を省略している。
図６は、スキャナ部１５０の移動読取部をその側方から示す拡大構成図である。
図に示すように、スキャナ部１５０の筐体１６０内には、走行体としての第１キャリッジ１６２、第２キャリッジ１６３が設けられている。第１キャリッジ１６２は、複数の発光素子たる発光ダイオード（以下「ＬＥＤ」という。）を備えたＬＥＤユニット１０１がアレイ状に配列された画像照明装置を構成する２つの光源部１９０Ａ，１９０Ｂと、第１ミラー１６２ｂとを備えている。なお、第１キャリッジ１６２の詳細については、後述する。第２キャリッジ１６３は、第２ミラー１６３ａと、第３ミラー１６３ｂとを備えている。
【００３３】
スキャナ部１５０の筐体１６０内には、図示しないが、その長手方向に延在する２本の金属製の第１レールが短手方向に所定の間隔をあけて固定されており、２本の第１レールの間に、第１キャリッジ１６２が架け渡されており、第１レール上でその長手方向に沿って走行できるようになっている。これら第１レールよりも鉛直方向の下方には、筐体長手方向に延在する図示しない２本の金属製の第２レールが筐体短手方向に所定の間隔をあけて固定されている。図示しない２本の第２レールの間には、第２キャリッジ１６３が架け渡されており、第２レール上でその長手方向に沿って走行できるようになっている。また、筐体１６０には、金属製の梁板１６４が固定されており、金属製の梁板１６４には、その上面にネジ固定された結像レンズ２００を備えたレンズユニット２１０や、これに固定されたＣＣＤ２２１を備えた電子回路基板たるスキャナ部ボードユニット（以下「ＳＢＵ」という。）２２０を支持している。
【００３４】
図５に示すように、図中右上には、駆動モータ１７０が設けられており、駆動モータ１７０の駆動ギヤと噛み合う従動ギヤ１７１の回転軸には、駆動タイミングプーリ１７２が固定されている。また、図中右側の筐体内の長手方向一端部には、回転軸１７３が回転可能に支持されている。回転軸１７３の一端部には、従動タイミングプーリ１７４が固定され、駆動タイミングプーリ１７２と従動タイミングプーリ１７４とに駆動タイミングベルト１７５が張架されている。また、回転軸１７３の両端部付近には、第１プーリ１８０が固定されている。そして、図中左側の筐体内の長手方向他端部の短手方向に所定の間隔を開けて２個の第２プーリ１８１が回転可能に支持されており、第１プーリ１８０と第２プーリ１８１とに第１タイミングベルト１８２が張架されている。
【００３５】
第２キャリッジ１６３は、第２ミラー１６３ａ、第３ミラー１６３ｂの主走査方向両端を支持する一対のミラーステー部１６３ｃと、このミラーステー部１６３ｃからそれぞれ第１キャリッジ側に延びるアーム部１６３ｄとを有している。また、ミラーステー部１６３ｃの筐体側面側には、第３プーリ１８３が回転可能に支持されている。また、アーム部１６３ｄの先端にはブラケット１６３ｅが設けられており、このブラケット１６３ｅに第４プーリ１８４が回転可能に支持されている。第３プーリ１８３、第４プーリ１８４には、第２タイミングベルト１８５が張架されており、この第２タイミングベルト１８５の一部は、図示しない固定部材によって筐体１６０の底部に固定されている。
【００３６】
また、第１タイミングベルト１８２、第２タイミングベルト１８５は、第１キャリッジ１６２の底部にそれぞれ固定されている。
【００３７】
画像読取がスタートすると、光源部１９０Ａ，１９０Ｂによって図示しない原稿ＭＳに対して光を照射する。また、駆動モータ１７０が駆動して、駆動モータ１７０の回転駆動力が、駆動タイミングベルト１７５を介して回転軸１７３に伝達され、回転軸１７３が回転する。回転軸１７３が回転することで、第１タイミングベルト１８２が図中時計回りに回転する。これにより、第１タイミングベルト１８２に固定されている第１キャリッジ１６２が図中左側から右側へ移動する。また、第１キャリッジ１６２が移動すると、第１キャリッジ１６２に固定された第２タイミングベルト１８５が、図中右側へ移動する。第２タイミングベルト１８５の一部は、筐体１６０の底部に固定されているため、第２タイミングベルト１８５は、その場で回転するのではなく、第２キャリッジ１６３の図中右側への移動を伴いながら回転する。ここで、第３、第４プーリ１８３、１８４の径は、第１、第２プーリの径の２倍となっているため、第２キャリッジ１６３は、第１キャリッジ１６２の１／２の速度で、図中右側へ移動する。このように、第２キャリッジ１６３は、第１キャリッジ１６２の半分の速度で第１キャリッジと同方向へ移動することで、原稿面から結像レンズ２００までの光束の光路長が変化しないようになっている。
【００３８】
駆動モータ１７０を制御する制御部は、ホストコンピュータから送られてくる１ライン毎の画像読取要求信号に応じて駆動モータ１７０を制御して、第２キャリッジ１６３と第１キャリッジ１６２との移動速度を制御している。
【００３９】
第１、第２キャリッジ１６２，１６３を図中左側から右側に２：１の速度比で移動させていく過程で、光源部１９０Ａ，１９０Ｂから発した光を第２コンタクトガラス１５５上に載置された図示しない原稿ＭＳで反射させる。この反射によって得られた光学像は、第１ミラー１６２ｂ、第２ミラー１６３ａ、第３ミラー１６３ｃを介して、結像レンズ２００に導かれ、ＣＣＤ２２１上に結像される。
【００４０】
ＣＣＤ２２１は、結像された原稿ＭＳの反射光像を光電変換して画像情報であるアナログ画像信号を出力する。そして、第１、第２キャリッジ１６２，１６３が図６の点線に示す位置まで移動したら、原稿ＭＳの読み取りを終了し、第１キャリッジ１６２と第２キャリッジ１６３は図中実線で示すホームポジション位置に復動する。なお、ＣＣＤ２２１から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００４１】
図７は、本実施形態における第１キャリッジ１６２の光源部１９０Ａ，１９０Ｂ付近の拡大構成図であり、図８は、その光源部１９０Ａ，１９０Ｂの斜視図である。
図に示すように、光源部１９０Ａ，１９０Ｂは、複数のＬＥＤユニット１０１を平板状部材としての回路基板であるＬＥＤアレイ基板１０２上に一列に配置させたＬＥＤアレイ１００を有している。ＬＥＤアレイ基板１０２は、その長手方向が、第１キャリッジ１６２の走行方向に対して直交する方向であって略水平方向に延びるように、すなわち、原稿ＭＳの主走査方向に延びるように配置される。複数のＬＥＤユニット１０１は、ＬＥＤアレイ基板１０２上に主走査方向に沿って一列に並んで配置されている。もちろん、２列以上に並べて配置してもよい。このように複数のＬＥＤユニット１０１を列設することで、
原稿面での副走査方向の照度分布を理想的な分布に近づけつつ、複数色にて個別に点灯できる構成としている。（図５参照）
ＬＥＤアレイ基板１０２には、各ＬＥＤユニット１０１に電力を供給するための図示しない配線パターン及び各種回路素子が形成されている。なお、ＬＥＤアレイ基板１０２は設置台１０３に保持・固定されている。
【００４２】
図９は、図６に示したスキャナ部１５０を上から（図６の矢印Ａ方向から）見た際の原稿載置部の平面図である。
この図は最大原稿載置可能サイズがＡ３サイズの場合の図であるが、図中の斜線部はＡ３サイズの原稿ＭＳを表し縦２９７ｍｍ、横４２０ｍｍである。なお、原稿ＭＳは、主走査方向の原稿載置基準であるスケール１１２、副走査方向の原稿載置基準であるスケール１１３に突き当てるように第２コンタクトガラス１５５上に載置される。この場合のＬＥＤアレイ基板１０２の長手幅は２９７ｍｍ＋αであり、これは原稿載置部の主走査方向の最大載置可能サイズに余裕分αをプラスしたものである。
【００４３】
次に、本実施形態の特徴部分である画像照明装置としての光源部１９０Ａ，１９０Ｂの構成について説明する。
本実施形態においては、図７に示すように、原稿ＭＳからの反射光のうちＣＣＤに案内される読取光の光路ＬRを挟んで一方の側から原稿の被照明領域Ｂに向けて光を照射する第１光照射体としての第１光源部１９０Ａの第１ＬＥＤアレイ１００Ａと、読取光の光路ＬRを挟んで他方の側から原稿ＭＳの被照明領域Ｂに向けて光を照射する第２光照射体としての第２光源部１９０Ｂの第２ＬＥＤアレイ１００Ｂとを備えている。なお、本実施形態において、第１ＬＥＤアレイ１００Ａと第２ＬＥＤアレイ１００Ｂとは、同一構造のものを用いている。本実施形態のように、読取光の光路ＬRを挟んで両側から原稿の被照明領域Ｂに向けて光を照射することで、図１０に示すように、第１キャリッジ１６２の走行方向である副走査方向における照度分布を理想的な分布に近づけることができる。
【００４４】
図１１は、本実施形態におけるＬＥＤユニット１０１の光出射面の概略構成を示す平面図である。
本実施形態では、第１ＬＥＤアレイ１００Ａと第２ＬＥＤアレイ１００Ｂとで同じＬＥＤユニット１０１を使用している。各ＬＥＤアレイ１００Ａ，１００ＢのＬＥＤユニット１０１は、複数のＬＥＤを備えている。具体的には、赤色ＬＥＤ１０１Ｒ、緑色ＬＥＤ１０１Ｇ、青色ＬＥＤ１０１Ｂの３色のＬＥＤが設けられている。このうち、緑色ＬＥＤ１０１Ｇが照射する光の波長は、一般のモノクロ画像読取装置に用いられているキセノンランプ等の波長とほぼ同じ５００〜６００ｎｍの波長とする。
【００４５】
本実施形態では、各ＬＥＤユニット１０１に搭載されている３つのＬＥＤ１０１Ｒ，１０１Ｇ，１０１Ｂを同時に点灯させた場合、これにより照射される光の波長は、図１２に示すようなものとなる。この場合、赤色光、緑色光、青色光が混色することで白色光が再現されるので、白色光を照射することができる。
また、本実施形態では、各ＬＥＤユニット１０１に搭載されている３つのＬＥＤ１０１Ｒ，１０１Ｇ，１０１Ｂを個別に点灯させることもできる。よって、赤色光からなる単色光、緑色光からなる単色光、青色光からなる単色光を、単独で照射することができる。
【００４６】
本実施形態において、モノクロ画像読取時は、両方のＬＥＤアレイ１００Ａ，１００Ｂについて、５００〜６００ｎｍの波長をもつ緑色ＬＥＤ１０１Ｇのみを点灯させ、その波長の光の受光感度が最も高いＣＣＤ２２１によって原稿ＭＳからの反射光（読取光）を受光する。一方、カラー画像読取時は、両方のＬＥＤアレイ１００Ａ，１００Ｂについて、すべてのＬＥＤ１０１Ｒ，１０１Ｇ，１０１Ｂを点灯させて白色光を照射し、カラー画像読取用のＣＣＤ２２１によって原稿ＭＳからの反射光（読取光）を受光する。このように、本実施形態によれば、カラー画像読取時には読取光の光路ＬRを挟んで両側から白色光を照射するので、原稿ＭＳの画像面が平坦でない場合でも、適正な色を読み取ることが可能である。すなわち、原稿ＭＳの画像面が平坦でない場合には、読取光の中に含まれる当該一方の側の光と当該他方の側からの光との比率が変化する。そのため、仮に、読取光の光路ＬRを挟んで一方の側から赤色光及び緑色光を照射し、他方の側から青色光を照射することで、白色光を原稿面に照明するような構成とすると、その比率の変化によって読取画像の色が変化し、適正な色の画像を読み取ることができなくなる。これに対し、読取光の光路ＬRを挟んで両側から白色光を照射すれば、原稿ＭＳの画像面が平坦でない場合でも、適正な色の画像を読み取ることができる。
【００４７】
ここで、本実施形態におけるＣＣＤ２２１の構成は、赤成分用のＣＣＤ、緑成分用のＣＣＤ、青成分用のＣＣＤで構成される３Ｌｉｎｅ構成である。緑成分用のＣＣＤ、青成分用のＣＣＤについても同様である。そして、カラー画像読取時には、すべてのＣＣＤを使用して画像読取動作を行う。一方、モノクロ画像読取時に使用する照明光は緑色なので、緑成分用のＣＣＤのみを利用して画像を読み取る。
【００４８】
このようにモノクロ画像読取時に使用するＣＣＤは、カラー画像読取時に使用するＣＣＤを利用することもできるが、モノクロ画像読取専用の１Ｌｉｎｅ構成のＣＣＤ（カラー画像読取時に使用しないＣＣＤ）を設け、カラー画像読取用の３Ｌｉｎｅ構成のＣＣＤと合わせて、４Ｌｉｎｅ構成としてもよい。この場合、次の点で有利である。
【００４９】
カラー画像読取に使用する赤成分用のＣＣＤ、緑成分用のＣＣＤ、青成分用のＣＣＤは、一般に使用されているモノクロ原稿読取用のＣＣＤに各色のフィルタを貼付あるいは塗布等して、安価に製作することができる。ただし、フィルタを設けないＣＣＤを使用して画像読取を行う場合と、フィルタを設けたＣＣＤを使用して画像読取を行う場合とでは、フィルタによるロス分だけ、前者よりも後者の方が、原稿を照明する照度として大きな照度が必要となる。よって、上述したように、モノクロ画像読取時に使用するＣＣＤとして、カラー画像読取時に使用するフィルタが設けられたＣＣＤを利用すると、フィルタを設けないＣＣＤを使用してモノクロ画像の読み取りを行う場合に比べて、フィルタによるロス分だけ原稿を照明する照度として大きな照度を必要とする。これに対し、モノクロ画像読取専用のＣＣＤを設ければ、そのＣＣＤにはフィルタを設けないＣＣＤを使用できる。したがって、この場合には、モノクロ画像読取時に必要となる原稿照明照度を、カラー画像読取用のＣＣＤ（フィルタが設けられたＣＣＤ）を利用する場合に比べて、例えば１０％程度小さくすることができる。そして、図１３に示すように、原稿照明照度とＬＥＤ点灯のために必要な消費電力との関係は、ほぼ正比例の関係にある。したがって、モノクロ画像読取時に必要となる原稿照明照度を例えば１０％程度小さくできれば、ＬＥＤ点灯のために必要な消費電力も１０％程度低くすることができ、省エネルギー化を図ることができる。
【００５０】
また、図１４に示すように、原稿照明照度とＣＣＤの必要十分な光電変換時間との関係も、ほぼ比例関係にある。したがって、モノクロ画像読取専用のＣＣＤを設けて、モノクロ画像読取時の原稿照明照度を、カラー画像読取用のＣＣＤ（フィルタが設けられたＣＣＤ）を利用する場合と同じ原稿照明照度とすれば、ＣＣＤの光電変換時間を約１０％短くし、かつ、第１キャリッジ１６２の移動（往動）速度を約１０％上げることで、カラー画像読取用のＣＣＤを利用する場合に比べて、画像読取速度を約１０％向上させることが可能となる。
【００５１】
〔変形例〕
上記実施形態では、各ＬＥＤアレイ１００Ａ，１００ＢのＬＥＤユニット１０１に、赤色ＬＥＤ１０１Ｒ、緑色ＬＥＤ１０１Ｇ、青色ＬＥＤ１０１Ｂの３色のＬＥＤを設けた場合について説明したが、本変形例では、図１５に示すように、白色ＬＥＤ２０１Ｗと、緑色ＬＥＤ２０１Ｇの２色のＬＥＤを備えたＬＥＤユニット２０１について説明する。なお、この緑色ＬＥＤ２０１Ｇが照射する光の波長は、一般のモノクロ画像読取装置に用いられているキセノンランプ等の波長とほぼ同じ５００〜６００ｎｍの波長とする。
【００５２】
本変形例では、各ＬＥＤユニット２０１に搭載されている２つのＬＥＤ２０１Ｗ，２０１Ｇを個別に点灯させることができる。よって、白色光と、緑色光からなる単色光を、単独で照射することができる。本変形例では、各ＬＥＤユニット２０１に搭載されている白色ＬＥＤ２０１Ｗのみを点灯させた場合、これにより照射される光の波長は、図１６に示すようなものとなる。また、各ＬＥＤユニット２０１に搭載されている緑色ＬＥＤ２０１Ｇのみを点灯させた場合、これにより照射される光の波長は、図１７に示すようなものとなる。
本変形例において、モノクロ画像読取時は、両方のＬＥＤアレイ１００Ａ，１００Ｂについて、５００〜６００ｎｍの波長をもつ緑色ＬＥＤ２０１Ｇのみを点灯させ、その波長の光の受光感度が最も高いＣＣＤ２２１によって原稿ＭＳからの反射光（読取光）を受光する。一方、カラー画像読取時は、両方のＬＥＤアレイ１００Ａ，１００Ｂについて、白色ＬＥＤ２０１Ｗのみを点灯させて白色光を照射し、カラー画像読取用のＣＣＤ２２１によって原稿ＭＳからの反射光（読取光）を受光する。
【００５３】
本変形例においても、カラー画像読取時には読取光の光路ＬRを挟んで両側から白色光を照射するので、原稿ＭＳの画像面が平坦でない場合でも、適正な色の画像を読み取ることが可能である。
なお、本変形例でも、モノクロ画像読取時には、カラー画像読取時に使用する緑成分用のＣＣＤを利用して画像を読み取るが、上述したようにモノクロ画像読取専用のＣＣＤを設けてもよい。
【００５４】
なお、上述した実施形態や変形例では、第１ＬＥＤアレイ１００Ａと第２ＬＥＤアレイ１００Ｂとで、同じＬＥＤユニット１０１を使用しているが、互いに異なるＬＥＤユニットを使用してもよい。
例えば、第１ＬＥＤアレイ１００Ａについては図１１に示したＬＥＤユニット１０１を使用し、第２ＬＥＤアレイ１００Ｂについては図１５に示したＬＥＤユニット２０１を使用するようにしてもよい。この場合でも、カラー画像読取時には読取光の光路ＬRを挟んで両側から白色光を照射できるので、原稿ＭＳの画像面が平坦でない場合でも、適正な色の画像を読み取ることが可能である。
また、例えば、第１ＬＥＤアレイ１００Ａと第２ＬＥＤアレイ１００Ｂのいずれか一方に搭載するＬＥＤユニットとして、白色光のみを照射するものを使用することもできる。具体的には、上述した白色ＬＥＤ２０１Ｗのみを備えたＬＥＤユニットや、上述した赤色ＬＥＤ１０１Ｒ、緑色ＬＥＤ１０１Ｇ、青色ＬＥＤ１０１Ｂの３色のＬＥＤを備えていて個別点灯ができないようなＬＥＤユニットなどが挙げられる。このような場合でも、モノクロ画像読取時には、読取光の光路ＬRを挟んで一方の側からは単色（緑色）の光を照射し、他方の側からは当該単色光を含む白色光を照射することで、読取光の光路ＬRを挟んで両側から同一色（緑色）の光を照射できる。
【００５５】
また、上述した実施形態や変形例では、移動読取部１５２の光源を例に挙げて説明したが、固定読取部１５１の光源にも適用可能である。
【００５６】
以上、本実施形態（変形例を含む。）における画像照明装置は、画像読取対象物である原稿ＭＳからの読取光の光路ＬRあるいは原稿の被照射領域Ｂの中心を通る法線を挟んで対向する一方の側から原稿ＭＳの被照明領域Ｂに向けて光を照射する第１光照射体としての第１ＬＥＤアレイ１００Ａと、読取光の光路ＬRを挟んで他方の側から被照明領域Ｂに向けて光を照射する第２光照射体としての第２ＬＥＤアレイ１００Ｂとを備えている。そして、第１ＬＥＤアレイ１００Ａ及び第２ＬＥＤアレイ１００Ｂは、いずれも白色光と単色光とを選択的に照射するものであり、第１ＬＥＤアレイ１００Ａ及び第２ＬＥＤアレイ１００Ｂが照射する単色光は互いに同一色（緑色）のものである。このような構成により、上述したとおり、原稿ＭＳの画像面が平坦でなくても適正な画像読み取りをできなくする影が生じにくく、かつ、カラー画像読取時もモノクロ画像読取時も不必要な電力を消費することが抑制される。しかも、モノクロ画像読取時に使用する光源として、消費電力の少ない緑色ＬＥＤ１０１Ｇを利用するので、モノクロ画像読取時における消費電力が抑制される。
また、上述したように、第１ＬＥＤアレイ１００Ａが白色光と単色光とを選択的に照射するものであり、第２ＬＥＤアレイ１００Ｂが白色光を照射するものであっても、同様の効果を得ることができる。
また、本実施形態（変形例を含む。）では、第１ＬＥＤアレイ１００Ａ及び第２ＬＥＤアレイ１００Ｂの少なくとも一方は、互いに異なる３色以上（赤、緑、青）の光をそれぞれ発光する複数の発光素子としてのＬＥＤ１０１Ｒ，１０１Ｇ，１０１Ｂを備え、白色光を照射する際にはこれらのＬＥＤすべてを発光させる。このような構成とすることにより、単色光を照射するときに白色光を照射する際に用いるＬＥＤを利用することができるので、単色光専用のＬＥＤを設ける必要がなくなり、低コスト化を図ることができる。
また、本実施形態（変形例を含む。）では、単色光の波長ピークが５００［ｎｍ］以上６００［ｎｍ］以下であるので、モノクロ画像読取用として一般に使用されている発光素子や光電変換素子を使用することができる。
また、本実施形態（変形例を含む。）における画像読取装置としてのスキャナ部は、上述いｓた画像照明装置と、原稿ＭＳで反射した反射光（読取光）を光電変換素子であるＣＣＤ２２１で受光して読取光に含まれる所定の色成分ごとの受光量に応じた各色成分ごとの画像信号を生成する画像信号生成手段とを備えている。このようなスキャナ部においては、上述したように、この画像信号生成手段が、カラー画像読取動作時に使用される赤成分、緑成分及び青成分を個別に受光するカラー用ＣＣＤと、モノクロ画像読取動作時に使用されるモノクロ用ＣＣＤとを個別に備えていることで、上述したように、モノクロ画像読取時に必要となる原稿照明照度を小さくでき、これによりＬＥＤ点灯のために必要な消費電力も低くすることができるので、省エネルギー化を図ることができる。
また、モノクロ用ＣＣＤの光電変換に要する時間を、カラー用光電変換素子の光電変換に要する時間よりも短くなるように構成すれば、上述したように、モノクロ画像読取時における画像読取速度を向上させることが可能となる。
【図面の簡単な説明】
【００５７】
【図１】実施形態に係る複写機の概略構成図である。
【図２】同複写機における内部構成の一部を拡大して示す部分拡大構成図である。
【図３】同複写機のタンデム部の一部を示す部分拡大図である。
【図４】同複写機のＡＤＦ及びスキャナ部を示す斜視図である。
【図５】同スキャナ部を部分的に示す部分斜視図である。
【図６】同スキャナ部の移動読取部をその側方から示す構成図である。
【図７】複数のＬＥＤを主走査方向にアレイ状に並べて配置した光源部を備えた従来の第１キャリッジの概略断面図である。
【図８】同光源部の概略斜視図である。
【図９】同複写機のスキャナ部を上から見た際の原稿載置部の平面図である。
【図１０】原稿面での副走査方向における照度分布の概要を示す説明図である。
【図１１】同光源部のＬＥＤユニットの光出射面の概略構成を示す平面図である。
【図１２】同ＬＥＤユニットから照射される光の波長を示すグラフである。
【図１３】原稿照明照度とＬＥＤ点灯のために必要な消費電力との関係を示すグラフである。
【図１４】原稿照明照度とＣＣＤの必要十分な光電変換時間との関係を示すグラフである。
【図１５】変形例におけるＬＥＤユニットの光出射面の概略構成を示す平面図である。
【図１６】同ＬＥＤユニットから照射される白色光の波長を示すグラフである。
【図１７】同ＬＥＤユニットから照射される単色光の波長を示すグラフである。
【符号の説明】
【００５８】
３Ｋ，３Ｙ，３Ｍ，３Ｃ  プロセスユニット
４Ｋ，４Ｙ，４Ｍ，４Ｃ  感光体
１００Ａ  第１ＬＥＤアレイ
１００Ｂ  第２ＬＥＤアレイ
１０１  ＬＥＤユニット
１０１Ｒ，１０１Ｇ，１０１Ｂ，２０１Ｗ，２０１Ｇ  ＬＥＤ
１０２  アレイ基板
１０３  設置台
１５０  スキャナ部
１６２  第１キャリッジ
１９０Ａ  第１光源部
１９０Ｂ  第２光源部
【図１】
2008312175.tif 000003
【図２】
2008312175.tif 000004
【図３】
2008312175.tif 000005
【図４】
2008312175.tif 000006
【図５】
2008312175.tif 000007
【図６】
2008312175.tif 000008
【図７】
2008312175.tif 000009
【図８】
2008312175.tif 000010
【図９】
2008312175.tif 000011
【図１０】
2008312175.tif 000012
【図１１】
2008312175.tif 000013
【図１２】
2008312175.tif 000014
【図１３】
2008312175.tif 000015
【図１４】
2008312175.tif 000016
【図１５】
2008312175.tif 000017
【図１６】
2008312175.tif 000018
【図１７】
2008312175.tif 000019